(57)【特許請求の範囲】
【請求項１】
容器開口部に配したフランジ部に着脱可能に被冠され、前記容器開口部から脱離する際にフランジ部下面と係合する膨出突部が内向きに突設された容器用オーバーキャップであって、前記膨出突部の頂部近傍に前記フランジ部下面に係合する突片を、針状の部材を前記オーバーキャップの外壁より内側方向に押し込んでオーバーキャップの壁を内側方向に盛り上げることにより押し出し形成したことを特徴とする容器用オーバーキャップ。
【請求項２】
突片が、オーバーキャップ１の外側より内側方向に貫通孔を貫穿することによって押し出し形成される請求項１に記載の容器用オーバーキャップ。
【発明の詳細な説明】
【０００１】
【発明の属する技術分野】
本発明は、ジュース、コーヒー等の液状食品、ヨーグルト、プリン等の半固形状食品、スナック菓子等の固形状食品、アイスクリーム、氷菓等の冷菓食品等の各種食品を収納して密封包装した容器の口部に冠着する容器のオーバーキャップに係わり、容器の搬送時に外的振動によって離脱し難くしたオーバーキャップに関するものである。
【０００２】
【従来の技術】
ジュース、コーヒー等の液状食品、ヨーグルト、プリン等の半固形状食品、スナック菓子等の固形状食品、アイスクリーム、氷菓等の冷菓食品等の各種食品を収納して密封包装される容器１００には、図３及び図４に図示する如く、その容器本体１１１に上向きに開口する開口部１１２を有し、該開口部１１２の外周に沿ってフランジ部１１３が延設されている。そして、この開口部１１２より内容物を充填、収納した後、フランジ部１１３部の上面を覆うかたちで密封蓋１１４を載置してシールして、容器本体１１１の開口部１１２を密封している。然るに、かかる容器１００の前記密封蓋１１４は、軽量化、低価格化のために、可及的に薄い紙や、アルミニウム、金属、プラスチック材料によって形成されているものである。
【０００３】
このようなことより、かかる密封した容器本体１１１を流通、販売する段階では、密封した容器本体１１１を段ボール内に積み重ねて梱包して、これを運搬して流通せしめたり、又、販売する場合に密封した容器本体１１１を積み重ねて陳列するようにしている。このように積み重ねた際、密封蓋１１４は薄いために破損し易く、又フランジ部１１３でのシール部が剥離し易く、それ故消費者に届く前に密封性がそこなわれる不都合があった。
【０００４】
このため、従来の該種容器１００では、容器本体１１１の開口部１１２にシールした密封蓋１１４の上に、更に、プラスチック薄板材でなるオーバーキャップ１０１を冠着し、流通段階及び販売段階における密封性の破壊を防止するようにし、併せて、密封蓋１１４の汚れを防止して衛生状態を担保したり、高級感を演出して美粧性を高めたりしていた。
【０００５】
しかるに、従来の上記したオーバーキャップ１０１は、図３、図４に図示する如く、オーバーキャップ１０１の中位位置の周壁に沿って設けられた容器本体１１１のフランジ１１３を収納するフランジ係合部１０２の下部に、オーバーキャップ１０１の周壁に沿って内側に膨出する複数個の膨出突部１０３、１０３、…、…が形成されていて、オーバーキャップ１０１を容器本体１１１の開口部１１２に冠着せしめる時に、この膨出突部１０３を、容器本体１１１に配設したフランジ部１１３に強制嵌合させて、容器本体１１１の開口部１１２に係合せしめる[図４参照]ものである。
【０００６】
ところで、かかる膨出突部１０３と容器本体１１１のフランジ部１１３とが単に嵌合しただけでは、容器１００の輸送中や陳列中にオーバーキャップ１０１が容器本体１１１から脱離し易く、特に自動販売機で販売する場合には、顧客の取り出し口に容器１００が落下する際の衝撃により、オーバーキャップ１０１が容器本体１１１から脱離してしまうという問題がしばしば生じていた。
【０００７】
そして、かかる問題を解消せしめるため、オーバーキャップ１０１を容器本体１１１から脱離し難い構造にすると、オーバーキャップ１０１を容器本体１１１に係合させることが困難になるいう不都合が生じることとなると共に、係合構造を複雑化し、製造コストを高価に上昇せしめる要因となる不都合があった。
【０００８】
【発明が解決しようとする課題】
本発明は上記した事情に鑑みなされたもので、その解決すべき課題は、容器本体に、嵌合操作し易く係合冠着せしめ得ると共に、係合嵌着したら脱離し難く冠着を保持し得る、製造コストの安価な容器のオーバーキャップを提供することにある。
【０００９】
【課題を解決するための手段】
本発明は、上記課題を解決するため、以下の如き手段を講じたものである。
請求項１に係わる発明として、容器開口部に配したフランジ部に着脱可能に被冠され、前記容器開口部から脱離する際にフランジ部下面と係合する膨出突部が内向きに突設された容器用オーバーキャップであって、前記膨出突部の頂部近傍に前記フランジ部下面に係合する突片を、針状の部材を前記オーバーキャップの外壁より内側方向に押し込んでオーバーキャップの壁を内側方向に盛り上げることにより押し出し形成したことを特徴とする容器用オーバーキャップ、としたものである。
【００１０】
請求項２に係わる発明として、突片が、オーバーキャップ１の外側より内側方向に貫通孔を貫穿することによって押し出し形成される請求項１に記載の容器用オーバーキャップ、としたものである。
【００１１】
【発明の実施の形態】
本発明の容器用オーバーキャップの実施の形態について、図面を参照して説明する。
図１は、本発明の実施の形態の容器用オーバーキャップ１を説明する正面図、図２は、前記オーバーキャップ１を容器本体１１１に冠着した時の様子を説明するための概略部分拡大断面図である。図１及び図２において、図３、図４と共通する構成部は同一符号を付し詳細な説明は省略する。
【００１２】
図１において、本発明の容器用オーバーキャップ１は天頂に天頂板２が配され、その底部は容器本体１１１［図３、４参照。］が挿通されるよう開口部３が開口されている。そして前記天頂板２と底部開口部３との中間位置には、容器本体１１１の開口１１２に配されたフランジ部１１３が収容されるフランジ係合部４が設けられている。
【００１３】
そして該オーバーキャップ１のフランジ係合部４の開口部３側の下方の周壁の周方向に沿って、内側に膨出する周方向長軸の楕円状の膨出突部５（本発明の膨出突部）が複数個設けられている。
【００１４】
本実施形態では、膨出突部５において、その頂部近傍に貫通孔６を設けている。図２において、膨出突部５に貫通孔６が設けられているが、この貫通孔６は、矢印Ａの方向より、オーバーキャップの外側から内側方向に向けて貫穿されたものである。例えば、矢印Ａの方向より、針状の部材（図示せず。）をオーバーキャップ１の外壁に差し込んで貫通させ、これによって貫通孔６を形成することができる。
【００１５】
そして、このように貫通孔６を貫穿したことにより、貫通孔６の内側出口付近には、突片７が形成される。この突片７は、オーバーキャップ１の外壁より針状部材等を貫通させたために、オーバーキャップ１の材料が押し出されて盛り上がり、形成されたものである。
【００１６】
本発明において、「押し出し形成」される、とは、例えば、矢印Ａの方向より、針状の部材等（図示せず。）をオーバーキャップ１の外壁より内側方向に押し込んで、突片７を内側方向に盛り上がらせて形成するように、オーバーキャップ１の壁が内側方向に盛り上げられて形成されることを意味する。
【００１７】
図２の場合、突片７は、貫通孔６を貫穿したことによって形成されているが、これは貫通孔６を必須とするものではなく、例えば、針状部材等をオーバーキャップ１の外壁から内側に向かって押し出し、オーバーキャップ１の内側に突起状に膨出させて盛り上げるだけの態様であってもよい。この場合は、オーバーキャップ１の壁には貫通孔が形成されることはないが、突片を形成することはできる。要は、突片７は、内側方向に押し出して形成されれば良いわけであって、貫通孔６が存在するか否かは特段の問題ではない。但し、成形する際の容易性からいえば、貫通孔６を形成したほうが加工が容易であって好ましい。
【００１８】
かかる構成よりなる本実施形態のオーバーキャップ１は、図２に図示する如き態様で、容器本体１１１の開口部１１２のフランジ部１１３にフランジ係合部４を嵌合して冠着係合される。
【００１９】
即ち、密封蓋１１４で開口部１１２をシールした容器本体１１１の開口部１１２のフランジ部１１３に、オーバーキャップ１を開口部３を介して覆いかぶせて押圧し、容器本体１１１のフランジ部１１３の縁端がオーバキャップ１の膨出突部５、及び突片７に当接する状態を強制的に乗り越えせしめて、フランジ係合部４に容器１１１のフランジ部１１３を収納係合せしめて、オーバーキャップ１を容器本体１１１の開口部１１２に冠着保持せしめる。
【００２０】
容器本体１１１の開口部１１２に冠着して保持された本発明のオーバーキャップ１は、この容器に、その搬送中や陳列中に外的衝撃が付与された時に、上下に移動するが、突片７の作用によって、容器本体１１１より脱離し難くなり、脱離を防止して、冠着が保持される。
【００２１】
即ち、外的衝撃によりオーバーキャップ１が上方に向けて移動すると、容器本体１１１のフランジ部１１３が膨出突部５を通過しようとするが、この際に、膨出突部５に突片７を設けているために、フランジ部１１３が、突片７に引っかかり、これによって、オーバーキャップ１が容器本体１１１より脱離し難くなるのである。この結果、オーバーキャップ１は、脱離が防止されて、冠着が保持される。
【００２２】
本発明において、突片７は、膨出突部５の２箇所、又は複数箇所に設ける態様であっても良いが、一の膨出突部５に対して一の突片７を設けても良い。即ち、膨出突部５に設ける突片７の数は、適宜定めることができる。
【００２３】
また、突片７は、いかなる個数の膨出突部５に設けてもよく、全ての膨出突部５に設けても良いが、一部の膨出突部５のみに設けるだけにとどめても良い。
【００２４】
このように突片７の個数を調節することにより、容器本体１１１にオーバーキャップ１を冠着脱離する際の抵抗の大きさを自由に調節することができる。
【００２５】
なお、本発明は、一度形成されたオーバーキャップ１に対して、膨出突部５に突片７を設けるだけでよいため、本発明を適用するにあたってオーバーキャップ１を成形するための金型を変更する必要がない、という利点がある。
【００２６】
即ち、仮に、オーバーキャップ１を成形するための金型を変更するとすれば、初期の投資費用が大きいものとなるが、本発明は、単に、突片７を設けるための装置を追加するだけでよい。
【００２７】
しかも、仮に、金型を変更したとすれば、完成したオーバーキャップ１を冠着脱離する際の抵抗の大きさが思わしくないという事態が生じた場合には、再度、初めから金型から作り直すことになってしまうが、本発明では、突片７の個数、形状、設置場所等を変更するだけで、自由に容器本体１１１との冠着脱離の程度を調節することができる。即ち、最適な設計を追及するという作業が容易であり、開発のコストと時間の面で大きな利点をもつのである。
【００２８】
また、突片７は、例えば、単に針状部材を刺し通すだけで形成できるため、小さな力で容易に加工することができる。即ち、突片７を設ける操作は、安定して実施することができ、ロットによるばらつきも少なく、実際の製造工程に適用することが容易である。また、特に、針状部材を使用すれば、当該針状部材の磨耗が少なく、ランニングコストにも優れている。
【００２９】
さらに、本発明は、単に突片７を設けるだけでよいため、切り欠き片等が発生せず、材料に無駄がない。また、切り欠き片等が発生しないために、オーバーキャップ１を加工する作業場所や、容器本体１１１に被冠する作業場所の衛生という点でも有利である。
【００３０】
また、本発明は、単に突片７を設けるだけでよいため、オーバーキャップ１を積み重ねた際のスタック性が損なわれることがなく、複数個を重ね合わせた際の安定性やコンパクト性が良いため、生産工場や加工現場、冠着作業場における取り扱いが良好であり、運搬も容易であるという利点もある。
【００３１】
結局、本発明のオーバーキャップ１にあっては、衝撃によって生ずる容器本体１１１からの離脱を効果的に防止できると共に、構造が簡単、加工が容易であり、製造コストが安価であるという利点を享受できる。更に、複数個を重ね合わせた際の安定性やコンパクト性が良く、スタック性が優れている。
【００３２】
なお、突片７の形状は、いかなるものでもよいが、円形が最も簡便であり好ましい。
【００３３】
以上説明した本発明においては、膨出突部５が断続的に形成されている態様を説明してきたが、例えば、膨出突部５が連続的に全周にわたって環状に形成されている態様であっても、本発明を好適に適用できることはいうまでもない。
【００３４】
また、容器本体１１１として円柱状のものを示しているが、これは、例えば、角柱状、その他、種々の形状のものであっても差し支えはない。
【００３５】
【発明の効果】
本発明の容器用オーバーキャップは、上記した如き形態で実施され、以下の如き効果を奏する。
本発明の容器用オーバーキャップによれば、容器本体に、嵌合操作が極めて容易にして係合冠着せしめ得ると共に、係合嵌着したら脱離し難く、該オーバーキャップを冠着した容器の搬送や陳列に当たって生じる外的衝撃に遭遇しても冠着を保持し、商品評価を良好に保ち得ることが出来る。
また、構造が簡単で、製造コストの安価なオーバーキャップを提供することが出来る。
また、金型を変更することなく、着脱の抵抗の大きさを自由に調節することができるため、設計の自由度が高いとともに投資コストも安価ですむ。さらに、スタック性が良好で、切り欠きが発生しない点で作業場の取り扱いや衛生の面でも有利である。
【図面の簡単な説明】
【図１】  本発明の実施の形態の容器用オーバーキャップ１を説明する正面図。
【図２】  オーバーキャップ１を容器本体１１１に冠着した時の様子を説明するための概略部分拡大断面図。
【図３】  従来のオーバーキャップを冠着した容器の一例を説明するもので、組み立て図を示す。
【図４】  従来のオーバーキャップを冠着した容器の一例を説明するもので、一部切開断面図を示す。
【符号の説明】
１…本発明の容器用オーバーキャップ、  ２…天頂板、  ３…開口、  ４…フランジ係合部、  ５…膨出突部（本発明の膨出突部）、  ６…貫通孔、  ７…突片、  １１１…容器本体、  １１２…開口部、  １１３…フランジ部、  １１４…密封蓋
【図１】
0004202043.tif 000002
【図２】
0004202043.tif 000003
【図３】
0004202043.tif 000004
【図４】
0004202043.tif 000005